(57)【要約】【課題】複数のユーザのうちの任意のユーザから取得された複数のコンテンツを合成してユーザ毎に内容の異なる合成コンテンツを作成することができるサーバ、端末装置、画像処理システム、画像処理方法、プログラムおよび記録媒体を提供する。【解決手段】本発明のサーバ、端末装置、画像処理システム、画像処理方法、プログラムおよび記録媒体においては、固有コンテンツリクエスト情報通知部が、固有コンテンツリクエスト情報を、複数のユーザの中から第１ユーザによって指定された第２ユーザに通知する。固有コンテンツ取得部が、第２ユーザから、固有コンテンツリクエスト情報に対応する固有コンテンツを取得する。固有合成コンテンツ作成部が、固有コンテンツ取得部によって取得された固有コンテンツのうちの第１ユーザのために使用する固有コンテンツを合成して第１ユーザの固有合成コンテンツを作成する。【選択図】図２
2018018403.tif 000002
【特許請求の範囲】
【請求項１】
複数のユーザのうちの第１ユーザのために使用する固有コンテンツをリクエストする固有コンテンツリクエスト情報を、前記複数のユーザの中から前記第１ユーザによって指定された第２ユーザに通知する固有コンテンツリクエスト情報通知部と、
前記第２ユーザから、前記固有コンテンツリクエスト情報に対応する固有コンテンツを取得する固有コンテンツ取得部と、
前記固有コンテンツ取得部によって取得された固有コンテンツのうちの前記第１ユーザのために使用する固有コンテンツを合成して前記第１ユーザの固有合成コンテンツを作成する固有合成コンテンツ作成部とを備える、サーバ。
【請求項２】
前記複数のユーザが共通に使用する共通コンテンツをリクエストする共通コンテンツリクエスト情報を、前記複数のユーザに通知する共通コンテンツリクエスト情報通知部と、
前記複数のユーザから、前記共通コンテンツリクエスト情報に対応する複数の共通コンテンツを取得する共通コンテンツ取得部と、
前記複数の共通コンテンツを合成して前記複数のユーザの共通合成コンテンツを作成する共通合成コンテンツ作成部と、
前記共通合成コンテンツおよび前記第１ユーザの固有合成コンテンツを含む、前記第１ユーザの総合コンテンツを作成する総合コンテンツ作成部とを備える、請求項１に記載のサーバ。
【請求項３】
複数のユーザのうちの第１ユーザのために使用する固有コンテンツを前記複数のユーザの中から前記第１ユーザによって指定された第２ユーザにリクエストする固有コンテンツリクエスト情報をサーバから受け取る固有コンテンツリクエスト情報受取部と、
前記固有コンテンツリクエスト情報受取部によって受け取られた固有コンテンツリクエスト情報を表示する画像表示部と、
前記画像表示部に表示された前記固有コンテンツリクエスト情報を参照して前記第２ユーザによって回答された固有コンテンツを入力する指示入力部と、
前記指示入力部によって入力された固有コンテンツを前記サーバに送付する固有コンテンツ送付部とを備える、端末装置。
【請求項４】
前記複数のユーザが共通に使用する共通コンテンツをリクエストする共通コンテンツリクエスト情報を受け取る共通コンテンツリクエスト情報受取部を備え、
前記画像表示部は、前記共通コンテンツリクエスト情報受取部によって受け取られた前記共通コンテンツリクエスト情報を表示し、
前記指示入力部は、前記画像表示部に表示された前記共通コンテンツリクエスト情報を参照して前記複数のユーザの各々によって回答された共通コンテンツを入力し、
前記指示入力部によって入力された共通コンテンツを前記サーバに送付する共通コンテンツ送付部を備える、請求項３に記載の端末装置。
【請求項５】
サーバと、複数のユーザの端末装置とを備え、
前記サーバは、
複数のユーザのうちの第１ユーザのために使用する固有コンテンツをリクエストする固有コンテンツリクエスト情報を、前記複数のユーザの中から前記第１ユーザによって指定された第２ユーザに通知する固有コンテンツリクエスト情報通知部と、
前記第２ユーザから、前記固有コンテンツリクエスト情報に対応する固有コンテンツを取得する固有コンテンツ取得部と、
前記固有コンテンツ取得部によって取得された固有コンテンツのうちの前記第１ユーザのために使用する固有コンテンツを合成して前記第１ユーザの固有合成コンテンツを作成する固有合成コンテンツ作成部とを備え、
前記端末装置は、
前記固有コンテンツリクエスト情報を前記固有コンテンツリクエスト情報通知部から受け取る固有コンテンツリクエスト情報受取部と、
前記固有コンテンツリクエスト情報受取部によって受け取られた固有コンテンツリクエスト情報を表示する画像表示部と、
前記画像表示部に表示された前記固有コンテンツリクエスト情報を参照して前記第２ユーザによって回答された固有コンテンツを入力する指示入力部と、
前記指示入力部によって入力された固有コンテンツを前記固有コンテンツ取得部に送付する固有コンテンツ送付部とを備える、画像処理システム。
【請求項６】
前記固有コンテンツリクエスト情報は、前記第２ユーザに対して前記固有コンテンツをリクエストする複数の前記第１ユーザのリストを含む、請求項５に記載の画像処理システム。
【請求項７】
前記指示入力部は、前記リストの中から前記第２ユーザによって選択された２以上の前記第１ユーザに対して回答された同一の固有コンテンツを入力し、
前記固有コンテンツ送付部は、前記指示入力部によって入力された、前記２以上の第１ユーザに対して回答された同一の固有コンテンツを送付し、
前記固有コンテンツ取得部は、前記固有コンテンツ送付部によって送付された、前記２以上の第１ユーザに対して回答された同一の固有コンテンツを取得する、請求項６に記載の画像処理システム。
【請求項８】
前記指示入力部は、前記第２ユーザによって前記複数のユーザの中から選択された、前記リストに含まれる前記複数の第１ユーザ以外の１以上の第３ユーザに対して回答された固有コンテンツを入力し、
前記固有コンテンツ送付部は、前記指示入力部によって入力された、前記１以上の第３ユーザに対して回答された固有コンテンツを送付し、
前記固有コンテンツ取得部は、前記固有コンテンツ送付部によって送付された、前記１以上の第３ユーザに対して回答された固有コンテンツを取得する、請求項７に記載の画像処理システム。
【請求項９】
前記固有コンテンツリクエスト情報は、前記固有コンテンツのリクエストに対する回答期限を含む、請求項５ないし８のいずれか一項に記載の画像処理システム。
【請求項１０】
前記サーバは、前記回答期限が経過した後、前記固有コンテンツのリクエストに対する回答をしていない前記第２ユーザに対して、前記固有コンテンツのリクエストに対する回答を督促するコンテンツ督促部を備え、
前記端末装置は、前記固有コンテンツのリクエストに対する回答の督促を前記コンテンツ督促部から受け取るコンテンツ督促受取部を備え、
前記画像表示部は、前記コンテンツ督促受取部によって受け取られた前記督促の内容を表示する、請求項９に記載の画像処理システム。
【請求項１１】
前記固有コンテンツリクエスト情報通知部は、電子メールによる前記固有コンテンツリクエスト情報の送付、ソーシャルネットワークシステムにおける前記固有コンテンツリクエスト情報の共有、および、ブログにおける前記固有コンテンツリクエスト情報の公表のうちの少なくとも１つによって前記固有コンテンツリクエスト情報を通知する、請求項５ないし１０のいずれか一項に記載の画像処理システム。
【請求項１２】
前記固有コンテンツは、手書き入力によるコメント、タイピング入力によるコメントおよびファイルのうちの少なくとも１つを含む、請求項５ないし１１のいずれか一項に記載の画像処理システム。
【請求項１３】
前記ファイルは、動画像、音声および静止画像のうちの少なくとも１つを含む、請求項１２に記載の画像処理システム。
【請求項１４】
前記サーバは、
前記複数のユーザが共通に使用する共通コンテンツをリクエストする共通コンテンツリクエスト情報を、前記複数のユーザに通知する共通コンテンツリクエスト情報通知部と、
前記複数のユーザから、前記共通コンテンツリクエスト情報に対応する複数の共通コンテンツを取得する共通コンテンツ取得部と、
前記複数の共通コンテンツを合成して前記複数のユーザの共通合成コンテンツを作成する共通合成コンテンツ作成部と、
前記共通合成コンテンツおよび前記第１ユーザの固有合成コンテンツを含む、前記第１ユーザの総合コンテンツを作成する総合コンテンツ作成部とを備え、
前記端末装置は、
前記共通コンテンツリクエスト情報通知部から前記共通コンテンツリクエスト情報を受け取る共通コンテンツリクエスト情報受取部を備え、
前記画像表示部は、前記共通コンテンツリクエスト情報受取部によって受け取られた前記共通コンテンツリクエスト情報を表示し、
前記指示入力部は、前記画像表示部に表示された前記共通コンテンツリクエスト情報を参照して前記複数のユーザの各々によって回答された共通コンテンツを入力し、
前記指示入力部によって入力された共通コンテンツを前記共通コンテンツ取得部に送付する共通コンテンツ送付部を備える、請求項５ないし１３のいずれか一項に記載の画像処理システム。
【請求項１５】
前記サーバは、
前記複数のユーザの各々の顔画像を取得する顔画像取得部と、
前記複数の共通コンテンツの各々および前記各々のユーザの顔画像を解析する画像解析部と、
前記複数の共通コンテンツの各々および前記各々のユーザの顔画像の解析結果に基づいて、前記複数の共通コンテンツの中から、前記第１ユーザおよび前記第２ユーザに関連性のある共通コンテンツを抽出する共通コンテンツ抽出部と、
前記第２ユーザが前記リクエストに対して回答する場合に、前記固有コンテンツとして、前記第１ユーザおよび前記第２ユーザに関連性のある共通コンテンツを前記第２ユーザにリコメンドするリコメンド部とを備え、
前記端末装置は、
前記複数のユーザの各々の顔画像を前記顔画像取得部に送付する顔画像送付部と、
前記第２ユーザが前記リクエストに対して回答する場合に、前記固有コンテンツとして、前記第２ユーザにリコメンドされた前記第１ユーザおよび前記第２ユーザに関連性のある共通コンテンツを、前記リコメンド部から受け取るリコメンド受取部とを備え、
前記画像表示部は、前記リコメンド受取部によって受け取られた共通コンテンツを表示する、請求項１４に記載の画像処理システム。
【請求項１６】
前記固有コンテンツリクエスト情報は、前記第２ユーザに対して前記固有コンテンツをリクエストする複数の前記第１ユーザのリストを含み、
前記サーバは、
前記複数のユーザの各々の顔画像を取得する顔画像取得部と、
前記複数の共通コンテンツの各々および前記各々のユーザの顔画像を解析する画像解析部と、
前記複数の共通コンテンツの各々および前記各々のユーザの顔画像の解析結果に基づいて、前記複数のユーザのうちの任意の二人のユーザの親しさを表す親密度を算出する親密度算出部とを備え、
前記固有コンテンツリクエスト情報通知部は、前記親密度に基づいて、前記リストに含まれる前記複数の第１ユーザを、前記第２ユーザとの親密度が高い順序で並べ、
前記端末装置は、
前記複数のユーザの各々の顔画像を前記顔画像取得部に送付する顔画像送付部を備え、
前記画像表示部は、前記複数の第１ユーザが、前記第２ユーザとの前記親密度が高い順序で並べられた前記リストを表示する、請求項１４または１５に記載の画像処理システム。
【請求項１７】
前記固有コンテンツリクエスト情報は、前記第２ユーザに対して前記固有コンテンツをリクエストする複数の前記第１ユーザのリストを含み、
前記サーバは、
前記複数のユーザの各々の顔画像を取得する顔画像取得部と、
前記複数の共通コンテンツの各々および前記各々のユーザの顔画像を解析する画像解析部と、
前記複数の共通コンテンツの各々および前記各々のユーザの顔画像の解析結果に基づいて、前記複数のユーザのうちの任意の二人のユーザの親しさを表す親密度を算出する親密度算出部と、
前記リストに含まれる前記複数の第１ユーザのうち、前記第２ユーザとの親密度が高い第１ユーザであるほど、より多くのコンテンツを含む固有コンテンツを生成する固有コンテンツ生成部と、
前記第２ユーザが前記リクエストに対して回答する場合に、前記固有コンテンツ生成部によって生成された固有コンテンツを前記第２ユーザにリコメンドするリコメンド部とを備え、
前記端末装置は、
前記複数のユーザの各々の顔画像を前記サーバに送付する顔画像送付部と、
前記第２ユーザが前記リクエストに対して回答する場合に、前記第２ユーザにリコメンドされた固有コンテンツを、前記リコメンド部から受け取るリコメンド受取部とを備え、
前記画像表示部は、前記リコメンド受取部によって受け取られた固有コンテンツを表示する、請求項１４ないし１６のいずれか一項に記載の画像処理システム。
【請求項１８】
固有コンテンツリクエスト情報通知部が、複数のユーザのうちの第１ユーザのために使用する固有コンテンツをリクエストする固有コンテンツリクエスト情報を、前記複数のユーザの中から前記第１ユーザによって指定された第２ユーザに通知する第１ステップと、
固有コンテンツ取得部が、前記第２ユーザから、前記第１ステップによって通知された前記固有コンテンツリクエスト情報に対応する固有コンテンツを取得する第２ステップと、
固有合成コンテンツ作成部が、前記固有コンテンツのうちの前記第１ユーザのために使用する固有コンテンツを合成して前記第１ユーザの固有合成コンテンツを作成する第３ステップとを含む、画像処理方法。
【請求項１９】
共通コンテンツリクエスト情報通知部が、前記複数のユーザが共通に使用する共通コンテンツをリクエストする共通コンテンツリクエスト情報を、前記複数のユーザに通知する第４ステップと、
共通コンテンツ取得部が、前記複数のユーザから、前記第４ステップによって通知された前記共通コンテンツリクエスト情報に対応する複数の共通コンテンツを取得する第５ステップと、
共通合成コンテンツ作成部が、前記複数の共通コンテンツを合成して前記複数のユーザの共通合成コンテンツを作成する第６ステップと、
総合コンテンツ作成部が、前記共通合成コンテンツおよび前記第１ユーザの固有合成コンテンツを含む、前記第１ユーザの総合コンテンツを作成する第７ステップとを含む、請求項１８に記載の画像処理方法。
【請求項２０】
固有コンテンツリクエスト情報受取部が、複数のユーザのうちの第１ユーザのために使用する固有コンテンツを前記複数のユーザの中から前記第１ユーザによって指定された第２ユーザにリクエストする固有コンテンツリクエスト情報をサーバから受け取る第１ステップと、
画像表示部が、前記第１ステップによって受け取られた固有コンテンツリクエスト情報を表示する第２ステップと、
指示入力部が、前記第２ステップによって表示された前記固有コンテンツリクエスト情報を参照して前記第２ユーザによって回答された固有コンテンツを入力する第３ステップと、
固有コンテンツ送付部が、前記第３ステップによって入力された固有コンテンツを前記サーバに送付する第４ステップとを含む、画像処理方法。
【請求項２１】
共通コンテンツリクエスト情報受取部が、前記複数のユーザが共通に使用する共通コンテンツをリクエストする共通コンテンツリクエスト情報を受け取る第５ステップと、
前記画像表示部が、前記第５ステップによって受け取られた前記共通コンテンツリクエスト情報を表示する第６ステップと、
前記指示入力部が、前記第６ステップによって表示された前記共通コンテンツリクエスト情報を参照して前記複数のユーザの各々によって回答された共通コンテンツを入力する第７ステップと、
共通コンテンツ送付部が、前記第７ステップによって入力された共通コンテンツを前記サーバに送付するステップとを含む、請求項２０に記載の画像処理方法。
【請求項２２】
固有コンテンツリクエスト情報通知部が、複数のユーザのうちの第１ユーザのために使用する固有コンテンツをリクエストする固有コンテンツリクエスト情報を、前記複数のユーザの中から前記第１ユーザによって指定された第２ユーザに通知する第１ステップと、
固有コンテンツリクエスト情報受取部が、前記第１ステップによって通知された前記固有コンテンツリクエスト情報を受け取る第２ステップと、
画像表示部が、前記第２ステップによって受け取られた固有コンテンツリクエスト情報を表示する第３ステップと、
指示入力部が、前記第３ステップによって表示された前記固有コンテンツリクエスト情報を参照して前記第２ユーザによって回答された固有コンテンツを入力する第４ステップと、
固有コンテンツ送付部が、前記第４ステップによって入力された固有コンテンツを送付する第５ステップと、
固有コンテンツ取得部が、前記第２ユーザから、前記第５ステップによって送付された前記固有コンテンツリクエスト情報に対応する固有コンテンツを取得する第６ステップと、
固有合成コンテンツ作成部が、前記固有コンテンツのうちの前記第１ユーザのために使用する固有コンテンツを合成して前記第１ユーザの固有合成コンテンツを作成する第７ステップとを含む、画像処理方法。
【請求項２３】
共通コンテンツリクエスト情報通知部が、前記複数のユーザが共通に使用する共通コンテンツをリクエストする共通コンテンツリクエスト情報を、前記複数のユーザに通知する第８ステップと、
共通コンテンツリクエスト情報受取部が、前記第８ステップによって通知された前記共通コンテンツリクエスト情報を受け取る第９ステップと、
前記画像表示部が、前記第９ステップによって受け取られた前記共通コンテンツリクエスト情報を表示する第１０ステップと、
前記指示入力部が、前記第１０ステップによって表示された前記共通コンテンツリクエスト情報を参照して前記複数のユーザの各々によって回答された共通コンテンツを入力する第１１ステップと、
共通コンテンツ送付部が、前記第１１ステップによって入力された共通コンテンツを送付する第１２ステップと、
共通コンテンツ取得部が、前記複数のユーザから、前記第１２ステップによって送付された前記共通コンテンツリクエスト情報に対応する複数の共通コンテンツを取得する第１３ステップと、
共通合成コンテンツ作成部が、前記複数の共通コンテンツを合成して前記複数のユーザの共通合成コンテンツを作成する第１４ステップと、
総合コンテンツ作成部が、前記共通合成コンテンツおよび前記第１ユーザの固有合成コンテンツを含む、前記第１ユーザの総合コンテンツを作成する第１５ステップとを含む、請求項２２に記載の画像処理方法。
【請求項２４】
請求項１８ないし２３のいずれか一項に記載の画像処理方法の各々のステップをコンピュータに実行させるためのプログラム。
【請求項２５】
請求項１８ないし２３のいずれか一項に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数のユーザから取得された複数のコンテンツを用いて、フォトアルバム等の合成コンテンツを作成するサーバ、端末装置、画像処理システム、画像処理方法、プログラムおよび記録媒体に関する。
【背景技術】
【０００２】
現在、ユーザが所有する複数の画像（画像データ）を、インターネット等を経由して取得し、ユーザから取得した複数の画像を用いてユーザが希望するレイアウトのフォトアルバムを作成するサービスが提供されている。
【０００３】
近年では、一人のユーザが所有する複数の画像だけを用いてフォトアルバムを作成するだけでなく、複数のユーザが所有する複数の画像を用いて１つのフォトアルバムを作成するもの（特許文献１および２参照）が知られている。
【０００４】
また、ネットワークに接続されたユーザピアA, Bが画像データを送受信して共有アルバムを作成するもの（特許文献３）、ネットワークに接続された複数の画像形成装置のアドレス帳データを合成して１つのアドレス帳データを生成するもの（特許文献４）、複数の端末装置から通信経路を介して取得した画像データを合成して表示用画像を生成するもの（特許文献５）、および、卒業記念アルバムの記念写真が掲載されているページと裏表紙との間に、個人個人のスナップ写真、切符および拝観券等の思い出の品々を自由なレイアウトで保存することができるフリーサイズアルバム台紙が綴じ込まれているもの（特許文献６）等が知られている。
【先行技術文献】
【特許文献】
【０００５】
【特許文献１】特開２００８−２５７３０８号公報
【特許文献２】特開２０１５−０６９４３１号公報
【特許文献３】特開２００５−２０８９１３号公報
【特許文献４】特開２０１１−２０６９４６号公報
【特許文献５】特開２００９−２１２６５７号公報
【特許文献６】実開平６−０３６８６９号公報
【発明の概要】
【発明が解決しようとする課題】
【０００６】
高校等の公式の卒業アルバムは、卒業生の画像が掲載される本編ページに加えて、卒業生による寄せ書きが掲載される寄せ書きページを含む場合がある。通常、本編ページの内容は全ての卒業生の間で共通であるが、寄せ書きページは、卒業生の全員から全員に対する寄せ書きのような共通の内容ではなく、卒業生毎に、寄せ書きをして欲しい相手を任意に決めて、内容の異なる寄せ書きページを作成したいという要望がある。
【０００７】
しかし、特許文献１ないし６を含む従来の技術では、卒業アルバムの寄せ書きページに限らず、複数のユーザから複数のコンテンツを取得し、取得された複数のコンテンツを合成して合成コンテンツを作成する場合に、各々のユーザが、複数のユーザのうちの任意のユーザから複数のコンテンツを取得し、取得された複数のコンテンツを合成してユーザ毎に内容の異なる合成コンテンツを作成することはできなかった。
また、特許文献６のように、各人の想いが込められた個性のある卒業記念アルバムを作成するという課題はあったものの、これまでのフォトアルバム作成に関する先行技術において、そのような課題を解決するものは知られていなかった。
【０００８】
本発明の目的は、複数のユーザのうちの任意のユーザから取得された複数のコンテンツを合成してユーザ毎に内容の異なる合成コンテンツを作成することができるサーバ、端末装置、画像処理システム、画像処理方法、プログラムおよび記録媒体を提供することにある。
【課題を解決するための手段】
【０００９】
上記目的を達成するために、本発明は、複数のユーザのうちの第１ユーザのために使用する固有コンテンツをリクエストする固有コンテンツリクエスト情報を、複数のユーザの中から第１ユーザによって指定された第２ユーザに通知する固有コンテンツリクエスト情報通知部と、
第２ユーザから、固有コンテンツリクエスト情報に対応する固有コンテンツを取得する固有コンテンツ取得部と、
固有コンテンツ取得部によって取得された固有コンテンツのうちの第１ユーザのために使用する固有コンテンツを合成して第１ユーザの固有合成コンテンツを作成する固有合成コンテンツ作成部とを備える、サーバを提供する。
【００１０】
ここで、複数のユーザが共通に使用する共通コンテンツをリクエストする共通コンテンツリクエスト情報を、複数のユーザに通知する共通コンテンツリクエスト情報通知部と、
複数のユーザから、共通コンテンツリクエスト情報に対応する複数の共通コンテンツを取得する共通コンテンツ取得部と、
複数の共通コンテンツを合成して複数のユーザの共通合成コンテンツを作成する共通合成コンテンツ作成部と、
共通合成コンテンツおよび第１ユーザの固有合成コンテンツを含む、第１ユーザの総合コンテンツを作成する総合コンテンツ作成部とを備えることが好ましい。
【００１１】
また、本発明は、複数のユーザのうちの第１ユーザのために使用する固有コンテンツを複数のユーザの中から第１ユーザによって指定された第２ユーザにリクエストする固有コンテンツリクエスト情報をサーバから受け取る固有コンテンツリクエスト情報受取部と、
固有コンテンツリクエスト情報受取部によって受け取られた固有コンテンツリクエスト情報を表示する画像表示部と、
画像表示部に表示された固有コンテンツリクエスト情報を参照して第２ユーザによって回答された固有コンテンツを入力する指示入力部と、
指示入力部によって入力された固有コンテンツをサーバに送付する固有コンテンツ送付部とを備える、端末装置を提供する。
【００１２】
ここで、複数のユーザが共通に使用する共通コンテンツをリクエストする共通コンテンツリクエスト情報を受け取る共通コンテンツリクエスト情報受取部を備え、
画像表示部は、共通コンテンツリクエスト情報受取部によって受け取られた共通コンテンツリクエスト情報を表示し、
指示入力部は、画像表示部に表示された共通コンテンツリクエスト情報を参照して複数のユーザの各々によって回答された共通コンテンツを入力し、
指示入力部によって入力された共通コンテンツをサーバに送付する共通コンテンツ送付部を備えることが好ましい。
【００１３】
また、本発明は、サーバと、複数のユーザの端末装置とを備え、
サーバは、
複数のユーザのうちの第１ユーザのために使用する固有コンテンツをリクエストする固有コンテンツリクエスト情報を、複数のユーザの中から第１ユーザによって指定された第２ユーザに通知する固有コンテンツリクエスト情報通知部と、
第２ユーザから、固有コンテンツリクエスト情報に対応する固有コンテンツを取得する固有コンテンツ取得部と、
固有コンテンツ取得部によって取得された固有コンテンツのうちの第１ユーザのために使用する固有コンテンツを合成して第１ユーザの固有合成コンテンツを作成する固有合成コンテンツ作成部とを備え、
端末装置は、
固有コンテンツリクエスト情報を固有コンテンツリクエスト情報通知部から受け取る固有コンテンツリクエスト情報受取部と、
固有コンテンツリクエスト情報受取部によって受け取られた固有コンテンツリクエスト情報を表示する画像表示部と、
画像表示部に表示された固有コンテンツリクエスト情報を参照して第２ユーザによって回答された固有コンテンツを入力する指示入力部と、
指示入力部によって入力された固有コンテンツを固有コンテンツ取得部に送付する固有コンテンツ送付部とを備える、画像処理システムを提供する。
【００１４】
ここで、固有コンテンツリクエスト情報は、第２ユーザに対して固有コンテンツをリクエストする複数の第１ユーザのリストを含むことが好ましい。
【００１５】
また、指示入力部は、リストの中から第２ユーザによって選択された２以上の第１ユーザに対して回答された同一の固有コンテンツを入力し、
固有コンテンツ送付部は、指示入力部によって入力された、２以上の第１ユーザに対して回答された同一の固有コンテンツを送付し、
固有コンテンツ取得部は、固有コンテンツ送付部によって送付された、２以上の第１ユーザに対して回答された同一の固有コンテンツを取得することが好ましい。
【００１６】
また、指示入力部は、第２ユーザによって複数のユーザの中から選択された、リストに含まれる複数の第１ユーザ以外の１以上の第３ユーザに対して回答された固有コンテンツを入力し、
固有コンテンツ送付部は、指示入力部によって入力された、１以上の第３ユーザに対して回答された固有コンテンツを送付し、
固有コンテンツ取得部は、固有コンテンツ送付部によって送付された、１以上の第３ユーザに対して回答された固有コンテンツを取得することが好ましい。
【００１７】
また、固有コンテンツリクエスト情報は、固有コンテンツのリクエストに対する回答期限を含むことが好ましい。
【００１８】
また、サーバは、回答期限が経過した後、固有コンテンツのリクエストに対する回答をしていない第２ユーザに対して、固有コンテンツのリクエストに対する回答を督促するコンテンツ督促部を備え、
端末装置は、固有コンテンツのリクエストに対する回答の督促をコンテンツ督促部から受け取るコンテンツ督促受取部を備え、
画像表示部は、コンテンツ督促受取部によって受け取られた督促の内容を表示することが好ましい。
【００１９】
また、固有コンテンツリクエスト情報通知部は、電子メールによる固有コンテンツリクエスト情報の送付、ソーシャルネットワークシステムにおける固有コンテンツリクエスト情報の共有、および、ブログにおける固有コンテンツリクエスト情報の公表のうちの少なくとも１つによって固有コンテンツリクエスト情報を通知することが好ましい。
【００２０】
また、固有コンテンツは、手書き入力によるコメント、タイピング入力によるコメントおよびファイルのうちの少なくとも１つを含むことが好ましい。
【００２１】
また、ファイルは、動画像、音声および静止画像のうちの少なくとも１つを含むことが好ましい。
【００２２】
また、サーバは、
複数のユーザが共通に使用する共通コンテンツをリクエストする共通コンテンツリクエスト情報を、複数のユーザに通知する共通コンテンツリクエスト情報通知部と、
複数のユーザから、共通コンテンツリクエスト情報に対応する複数の共通コンテンツを取得する共通コンテンツ取得部と、
複数の共通コンテンツを合成して複数のユーザの共通合成コンテンツを作成する共通合成コンテンツ作成部と、
共通合成コンテンツおよび第１ユーザの固有合成コンテンツを含む、第１ユーザの総合コンテンツを作成する総合コンテンツ作成部とを備え、
端末装置は、
共通コンテンツリクエスト情報通知部から共通コンテンツリクエスト情報を受け取る共通コンテンツリクエスト情報受取部を備え、
画像表示部は、共通コンテンツリクエスト情報受取部によって受け取られた共通コンテンツリクエスト情報を表示し、
指示入力部は、画像表示部に表示された共通コンテンツリクエスト情報を参照して複数のユーザの各々によって回答された共通コンテンツを入力し、
指示入力部によって入力された共通コンテンツを共通コンテンツ取得部に送付する共通コンテンツ送付部を備えることが好ましい。
【００２３】
また、サーバは、
複数のユーザの各々の顔画像を取得する顔画像取得部と、
複数の共通コンテンツの各々および各々のユーザの顔画像を解析する画像解析部と、
複数の共通コンテンツの各々および各々のユーザの顔画像の解析結果に基づいて、複数の共通コンテンツの中から、第１ユーザおよび第２ユーザに関連性のある共通コンテンツを抽出する共通コンテンツ抽出部と、
第２ユーザがリクエストに対して回答する場合に、固有コンテンツとして、第１ユーザおよび第２ユーザに関連性のある共通コンテンツを第２ユーザにリコメンドするリコメンド部とを備え、
端末装置は、
複数のユーザの各々の顔画像を顔画像取得部に送付する顔画像送付部と、
第２ユーザがリクエストに対して回答する場合に、固有コンテンツとして、第２ユーザにリコメンドされた第１ユーザおよび第２ユーザに関連性のある共通コンテンツを、リコメンド部から受け取るリコメンド受取部とを備え、
画像表示部は、リコメンド受取部によって受け取られた共通コンテンツを表示することが好ましい。
【００２４】
また、固有コンテンツリクエスト情報は、第２ユーザに対して固有コンテンツをリクエストする複数の第１ユーザのリストを含み、
サーバは、
複数のユーザの各々の顔画像を取得する顔画像取得部と、
複数の共通コンテンツの各々および各々のユーザの顔画像を解析する画像解析部と、
複数の共通コンテンツの各々および各々のユーザの顔画像の解析結果に基づいて、複数のユーザのうちの任意の二人のユーザの親しさを表す親密度を算出する親密度算出部とを備え、
固有コンテンツリクエスト情報通知部は、親密度に基づいて、リストに含まれる複数の第１ユーザを、第２ユーザとの親密度が高い順序で並べ、
端末装置は、
複数のユーザの各々の顔画像を顔画像取得部に送付する顔画像送付部を備え、
画像表示部は、複数の第１ユーザが、第２ユーザとの親密度が高い順序で並べられたリストを表示することが好ましい。
【００２５】
また、固有コンテンツリクエスト情報は、第２ユーザに対して固有コンテンツをリクエストする複数の第１ユーザのリストを含み、
サーバは、
複数のユーザの各々の顔画像を取得する顔画像取得部と、
複数の共通コンテンツの各々および各々のユーザの顔画像を解析する画像解析部と、
複数の共通コンテンツの各々および各々のユーザの顔画像の解析結果に基づいて、複数のユーザのうちの任意の二人のユーザの親しさを表す親密度を算出する親密度算出部と、
リストに含まれる複数の第１ユーザのうち、第２ユーザとの親密度が高い第１ユーザであるほど、より多くのコンテンツを含む固有コンテンツを生成する固有コンテンツ生成部と、
第２ユーザがリクエストに対して回答する場合に、固有コンテンツ生成部によって生成された固有コンテンツを第２ユーザにリコメンドするリコメンド部とを備え、
端末装置は、
複数のユーザの各々の顔画像をサーバに送付する顔画像送付部と、
第２ユーザがリクエストに対して回答する場合に、第２ユーザにリコメンドされた固有コンテンツを、リコメンド部から受け取るリコメンド受取部とを備え、
画像表示部は、リコメンド受取部によって受け取られた固有コンテンツを表示することが好ましい。
【００２６】
また、本発明は、固有コンテンツリクエスト情報通知部が、複数のユーザのうちの第１ユーザのために使用する固有コンテンツをリクエストする固有コンテンツリクエスト情報を、複数のユーザの中から第１ユーザによって指定された第２ユーザに通知する第１ステップと、
固有コンテンツ取得部が、第２ユーザから、第１ステップによって通知された固有コンテンツリクエスト情報に対応する固有コンテンツを取得する第２ステップと、
固有合成コンテンツ作成部が、固有コンテンツのうちの第１ユーザのために使用する固有コンテンツを合成して第１ユーザの固有合成コンテンツを作成する第３ステップとを含む、画像処理方法を提供する。
【００２７】
ここで、共通コンテンツリクエスト情報通知部が、複数のユーザが共通に使用する共通コンテンツをリクエストする共通コンテンツリクエスト情報を、複数のユーザに通知する第４ステップと、
共通コンテンツ取得部が、複数のユーザから、第４ステップによって通知された共通コンテンツリクエスト情報に対応する複数の共通コンテンツを取得する第５ステップと、
共通合成コンテンツ作成部が、複数の共通コンテンツを合成して複数のユーザの共通合成コンテンツを作成する第６ステップと、
総合コンテンツ作成部が、共通合成コンテンツおよび第１ユーザの固有合成コンテンツを含む、第１ユーザの総合コンテンツを作成する第７ステップとを含むことが好ましい。
【００２８】
また、本発明は、固有コンテンツリクエスト情報受取部が、複数のユーザのうちの第１ユーザのために使用する固有コンテンツを複数のユーザの中から第１ユーザによって指定された第２ユーザにリクエストする固有コンテンツリクエスト情報をサーバから受け取る第１ステップと、
画像表示部が、第１ステップによって受け取られた固有コンテンツリクエスト情報を表示する第２ステップと、
指示入力部が、第２ステップによって表示された固有コンテンツリクエスト情報を参照して第２ユーザによって回答された固有コンテンツを入力する第３ステップと、
固有コンテンツ送付部が、第３ステップによって入力された固有コンテンツをサーバに送付する第４ステップとを含む、画像処理方法を提供する。
【００２９】
ここで、共通コンテンツリクエスト情報受取部が、複数のユーザが共通に使用する共通コンテンツをリクエストする共通コンテンツリクエスト情報を受け取る第５ステップと、
画像表示部が、第５ステップによって受け取られた共通コンテンツリクエスト情報を表示する第６ステップと、
指示入力部が、第６ステップによって表示された共通コンテンツリクエスト情報を参照して複数のユーザの各々によって回答された共通コンテンツを入力する第７ステップと、
共通コンテンツ送付部が、第７ステップによって入力された共通コンテンツをサーバに送付するステップとを含むことが好ましい。
【００３０】
また、本発明は、固有コンテンツリクエスト情報通知部が、複数のユーザのうちの第１ユーザのために使用する固有コンテンツをリクエストする固有コンテンツリクエスト情報を、複数のユーザの中から第１ユーザによって指定された第２ユーザに通知する第１ステップと、
固有コンテンツリクエスト情報受取部が、第１ステップによって通知された固有コンテンツリクエスト情報を受け取る第２ステップと、
画像表示部が、第２ステップによって受け取られた固有コンテンツリクエスト情報を表示する第３ステップと、
指示入力部が、第３ステップによって表示された固有コンテンツリクエスト情報を参照して第２ユーザによって回答された固有コンテンツを入力する第４ステップと、
固有コンテンツ送付部が、第４ステップによって入力された固有コンテンツを送付する第５ステップと、
固有コンテンツ取得部が、第２ユーザから、第５ステップによって送付された固有コンテンツリクエスト情報に対応する固有コンテンツを取得する第６ステップと、
固有合成コンテンツ作成部が、固有コンテンツのうちの第１ユーザのために使用する固有コンテンツを合成して第１ユーザの固有合成コンテンツを作成する第７ステップとを含む、画像処理方法を提供する。
【００３１】
ここで、共通コンテンツリクエスト情報通知部が、複数のユーザが共通に使用する共通コンテンツをリクエストする共通コンテンツリクエスト情報を、複数のユーザに通知する第８ステップと、
共通コンテンツリクエスト情報受取部が、第８ステップによって通知された共通コンテンツリクエスト情報を受け取る第９ステップと、
画像表示部が、第９ステップによって受け取られた共通コンテンツリクエスト情報を表示する第１０ステップと、
指示入力部が、第１０ステップによって表示された共通コンテンツリクエスト情報を参照して複数のユーザの各々によって回答された共通コンテンツを入力する第１１ステップと、
共通コンテンツ送付部が、第１１ステップによって入力された共通コンテンツを送付する第１２ステップと、
共通コンテンツ取得部が、複数のユーザから、第１２ステップによって送付された共通コンテンツリクエスト情報に対応する複数の共通コンテンツを取得する第１３ステップと、
共通合成コンテンツ作成部が、複数の共通コンテンツを合成して複数のユーザの共通合成コンテンツを作成する第１４ステップと、
総合コンテンツ作成部が、共通合成コンテンツおよび第１ユーザの固有合成コンテンツを含む、第１ユーザの総合コンテンツを作成する第１５ステップとを含むことが好ましい。
【００３２】
また、本発明は、上記に記載の画像処理方法の各々のステップをコンピュータに実行させるためのプログラムを提供する。
【００３３】
また、本発明は、上記に記載の画像処理方法の各々のステップをコンピュータに実行させるためのプログラムが記録されたコンピュータ読み取り可能な記録媒体を提供する。
【発明の効果】
【００３４】
本発明においては、複数のユーザのうちの任意のユーザから固有コンテンツを取得し、取得された固有コンテンツを合成してユーザ毎に内容の異なる固有合成コンテンツを作成することができる。また、複数のユーザから取得された共通コンテンツを合成して共通合成コンテンツを作成し、共通合成コンテンツおよび各々のユーザの固有合成コンテンツを含む、ユーザ毎に内容の異なる総合コンテンツを作成することができる。
【図面の簡単な説明】
【００３５】
【図１】本発明に係る画像処理システムの構成を表す一実施形態のブロック図である。
【図２】図１に示すサーバの構成を表す一実施形態のブロック図である。
【図３】図１に示すユーザの端末装置の構成を表す一実施形態のブロック図である。
【図４】図１に示す画像処理システムの動作を表す一実施形態のフローチャートである。
【図５】図１に示すサーバと端末装置との間のやり取りを表す一実施形態の概念図である。
【図６】固有コンテンツリクエスト情報の内容を表す一実施形態の概念図である。
【図７】固有コンテンツを回答するための画面を表す一実施形態の概念図である。
【図８】手書き入力によるコメントの入力画面を表す一実施形態の概念図である。
【図９】固有コンテンツとして、ファイルを指定するための画面を表す一実施形態の概念図である。
【図１０】タイピング入力によるコメントの入力画面を表す一実施形態の概念図である。
【発明を実施するための形態】
【００３６】
以下に、添付の図面に示す好適実施形態に基づいて、本発明のサーバ、端末装置、画像処理システム、画像処理方法、プログラムおよび記録媒体を詳細に説明する。
【００３７】
図１は、本発明に係る画像処理システムの構成を表す一実施形態のブロック図である。図１に示す画像処理システム１０は、サーバ１２と、ネットワーク１６を介してサーバ１２に接続された複数のユーザの端末装置（クライアント）１４とを備えている。画像処理システム１０は、複数のユーザの各々の端末装置１４からネットワーク１６を介して各々のユーザが所有する画像群を取得し、取得された複数のユーザの画像群に含まれる画像を用いてフォトアルバム等の合成画像を作成する。
【００３８】
サーバ１２は、端末装置１４からの指示に基づいて、合成画像を作成するための種々のデータ処理を行うものであり、例えば、デスクトップPC（Personal Computer：パーソナルコンピュータ）またはワークステーション等により構成される。
【００３９】
端末装置１４は、サーバ１２に対して各種の指示を与えて種々のデータ処理を行わせるものであり、例えば、スマートフォン、タブレットPCまたはノートPC等により構成される。
【００４０】
ネットワーク１６は、例えば、電話回線またはインターネット回線等であり、有線または無線によってサーバ１２と端末装置１４との間を相互に接続し、双方向の通信が可能である。
【００４１】
図２は、図１に示すサーバの構成を表す一実施形態のブロック図である。同図に示すサーバ１２は、共通コンテンツリクエスト情報通知部１８と、共通コンテンツ取得部２０と、共通合成コンテンツ作成部２２と、固有コンテンツリクエスト情報通知部２４と、固有コンテンツ取得部２６と、固有合成コンテンツ作成部２８と、顔画像取得部３０と、画像解析部３２と、共通コンテンツ抽出部３４と、親密度算出部３６と、固有コンテンツ生成部３８と、リコメンド部４０と、コンテンツ督促部４２と、総合コンテンツ作成部４４とを備えている。
【００４２】
サーバ１２において、共通コンテンツリクエスト情報通知部１８は、複数のユーザのうち、フォトアルバム等の合成画像を作成する場合のまとめ役となる幹事のユーザの端末装置１４から、ネットワーク１６を介して、複数のユーザが共通に使用する共通コンテンツをリクエストする共通コンテンツリクエスト情報を取得し、取得された共通コンテンツリクエスト情報を、ネットワーク１６を介して複数のユーザの端末装置１４に通知する。
【００４３】
共通コンテンツは、例えば、各々のユーザの端末装置１４において、指示入力部４８を介して指定されるファイルである。また、フィルは、例えば、動画像、音声および静止画像のうちの少なくとも１つを含む。
【００４４】
また、共通コンテンツリクエスト情報は、共通コンテンツとしてリクエストする内容、および、共通コンテンツのリクエストに対する回答期限等を含む。
【００４５】
続いて、共通コンテンツ取得部２０は、複数のユーザの端末装置１４から、ネットワーク１６を介して、共通コンテンツリクエスト情報に対応する複数の共通コンテンツを取得する。
【００４６】
共通コンテンツリクエスト情報通知部１８が、共通コンテンツリクエスト情報を複数のユーザの端末装置１４に通知する方法は特に限定されないが、例えば、電子メールによる共通コンテンツリクエスト情報の送付、ソーシャルネットワークシステムにおける共通コンテンツリクエスト情報の共有、および、ブログにおける共通コンテンツリクエスト情報の公表のうちの少なくとも１つによって、複数のユーザの共通コンテンツリクエスト情報を複数のユーザの端末装置１４に通知することができる。
【００４７】
続いて、共通合成コンテンツ作成部２２は、共通コンテンツ取得部２０によって取得された複数の共通コンテンツを合成して複数のユーザの共通合成コンテンツを作成する。
【００４８】
続いて、固有コンテンツリクエスト情報通知部２４は、複数のユーザのうちの第１ユーザの端末装置１４から、ネットワーク１６を介して、第１ユーザのために使用する固有コンテンツをリクエストする固有コンテンツリクエスト情報を取得し、取得された第１ユーザの固有コンテンツリクエスト情報を、ネットワーク１６を介して、複数のユーザの中から第１ユーザによって指定された２以上の第２ユーザの端末装置１４に通知する。
【００４９】
第１ユーザは、固有コンテンツをリクエストする側、つまり、固有コンテンツを受け取る側のユーザである。また、第２ユーザは、固有コンテンツをリクエストされる側、つまり、固有コンテンツを送付する側のユーザである。
なお、第１ユーザは、本実施形態の場合、２以上の第２ユーザを指定するが、これに限定されず、少なくとも一人の第２ユーザを指定すればよい。
【００５０】
固有コンテンツは、複数のユーザの各々が自分自身のために使用するコンテンツである。固有コンテンツは、例えば、各々のユーザの端末装置１４において、後述する指示入力部４８を介して指定される、各々のユーザの手書き入力によるコメント、タイピング入力によるコメント、および、ファイルのうちの少なくとも１つを含む。また、ファイルは、同様に、動画像、音声および静止画像のうちの少なくとも１つを含む。
【００５１】
また、固有コンテンツリクエスト情報は、固有コンテンツとしてリクエストする内容、第２ユーザに対して固有コンテンツをリクエストする一人または複数の第１ユーザのリスト、および、固有コンテンツのリクエストに対する回答期限等を含む。
【００５２】
固有コンテンツリクエスト情報通知部２４が、第１ユーザの固有コンテンツリクエスト情報を第２ユーザの端末装置１４に通知する方法は特に限定されないが、同様に、電子メールによる固有コンテンツリクエスト情報の送付、ソーシャルネットワークシステムにおける固有コンテンツリクエスト情報の共有、および、ブログにおける固有コンテンツリクエスト情報の公表のうちの少なくとも１つによって、第１ユーザの固有コンテンツリクエスト情報を第２ユーザの端末装置１４に通知することができる。
【００５３】
続いて、固有コンテンツ取得部２６は、２以上の第２ユーザの端末装置１４から、ネットワーク１６を介して、第１ユーザの固有コンテンツリクエスト情報に対応する複数の固有コンテンツを取得する。
なお、固有コンテンツ取得部２６は、本実施形態の場合、２以上の第２ユーザから複数の固有コンテンツを取得するが、これに限定されず、少なくとも一人の第２ユーザから少なくとも１つの固有コンテンツを取得すればよい。
【００５４】
続いて、固有合成コンテンツ作成部２８は、固有コンテンツ取得部２６によって取得された複数の固有コンテンツのうちの第１ユーザのために使用する固有コンテンツを合成して第１ユーザの固有合成コンテンツを作成する。
固有合成コンテンツ作成部２８は、例えば、１以上の画像を、背景画像等を含むテンプレートに配置して合成した固有合成コンテンツを作成する。また、固有合成コンテンツ作成部２８は、画像だけでなく、スタンプおよびユーザのコメント等を合成した固有合成コンテンツを作成することができる。
【００５５】
続いて、顔画像取得部３０は、複数のユーザの各々の端末装置１４から、ネットワーク１６を介して、複数のユーザの各々の顔画像を取得する。
【００５６】
顔画像取得部３０は、例えば、共通コンテンツ取得部２０および固有コンテンツ取得部２６が各々のコンテンツを取得した端末装置１４のユーザのSNS（Social Networking Service：ソーシャルネットワークシステム）における登録情報に含まれる顔画像を取得してもよい。また、学校の学生名簿および会社の社員名簿等には、氏名と顔画像とが関連付けて記載されているため、その氏名および顔画像を利用してもよい。
【００５７】
続いて、画像解析部３２は、共通コンテンツ取得部２０によって取得された複数の共通コンテンツ、例えば、静止画像の各々、および、顔画像取得部３０によって取得された各々のユーザの顔画像を解析する。
【００５８】
画像解析部３２は、例えば、画像の明るさ、色合い、ボケおよびブレの程度等の画質の解析、画像のサイズの解析の他、Exif（Exchangeable Image File Format：エクスチェンジャブル・イメージ・ファイル・フォーマット）などの画像の付帯情報に含まれる撮影日時、撮影場所等の解析、画像に写っている人物および人物以外の被写体の解析、画像に写っている人物の顔認識、画像のシーンの解析等を行う。
【００５９】
続いて、共通コンテンツ抽出部３４は、複数の共通コンテンツの各々および各々のユーザの顔画像の解析結果に基づいて、複数の共通コンテンツの中から、第１ユーザおよび第２ユーザに関連性のある共通コンテンツを抽出する。
第１ユーザおよび第２ユーザに関連性のある共通コンテンツは、例えば、第１ユーザおよび第２ユーザが一緒に写っている画像等である。
【００６０】
続いて、親密度算出部３６は、複数の共通コンテンツの各々および各々のユーザの顔画像の解析結果に基づいて、複数のユーザのうちの任意の二人のユーザの親しさを表す親密度を算出する。
【００６１】
親密度算出部３６は、例えば、複数の共通コンテンツのうち、任意の二人のユーザが一緒に写っている画像の枚数が多いほど、親密度が高くなるように、任意の二人のユーザの親密度を算出することができる。
【００６２】
続いて、固有コンテンツ生成部３８は、第２ユーザがリクエストに対して回答する場合に、第２ユーザに対してリコメンドする固有コンテンツを生成する。
例えば、固有コンテンツ生成部３８は、前述のリストに含まれる複数の第１ユーザのうち、第２ユーザとの親密度が高い第１ユーザであるほど、より多くのコンテンツを含む固有コンテンツを生成する。
【００６３】
続いて、リコメンド部４０は、第２ユーザがリクエストに対して回答する場合に、固有コンテンツとして、共通コンテンツ抽出部３４によって抽出された第１ユーザおよび第２ユーザに関連性のある共通コンテンツを、ネットワーク１６を介して第２ユーザの端末装置１４にリコメンドする。また、リコメンド部４０は、第２ユーザがリクエストに対して回答する場合に、固有コンテンツ生成部３８によって生成された固有コンテンツを、ネットワーク１６を介して第２ユーザの端末装置１４にリコメンドする。
【００６４】
続いて、コンテンツ督促部４２は、共通コンテンツのリクエストに対する回答期限が経過した後、共通コンテンツのリクエストに対する回答をしていないユーザの端末装置１４に対して、ネットワーク１６を介して、共通コンテンツのリクエストに対する回答、つまり、複数のユーザが共通に使用する共通コンテンツを督促する。また、コンテンツ督促部４２は、固有コンテンツのリクエストに対する回答期限が経過した後、固有コンテンツのリクエストに対する回答をしていない第２ユーザの端末装置１４に対して、ネットワーク１６を介して、固有コンテンツのリクエストに対する回答、つまり、第１ユーザのために使用する固有コンテンツを督促する。
【００６５】
最後に、総合コンテンツ作成部４４は、共通合成コンテンツ作成部２２によって作成された共通合成コンテンツ、および、固有合成コンテンツ作成部２８によって作成された第１ユーザの固有合成コンテンツを含む、第１ユーザの総合コンテンツを作成する。
【００６６】
次に、図３は、図１に示すユーザの端末装置の構成を表す一実施形態のブロック図である。同図に示すユーザの端末装置１４は、画像表示部４６と、指示入力部４８と、共通コンテンツリクエスト情報受取部５０と、共通コンテンツ送付部５２と、固有コンテンツリクエスト情報受取部５４と、固有コンテンツ送付部５６と、顔画像送付部５８と、リコメンド受取部６０と、コンテンツ督促受取部６２とを備えている。
【００６７】
端末装置１４において、画像表示部４６は、各種の画像、設定画面、選択画面、確認画面、入力画面、作成画面等を表示するものであり、例えば、液晶ディスプレイ等の表示デバイスによって構成される。
【００６８】
画像表示部４６は、例えば、共通コンテンツリクエスト情報受取部５０によって受け取られた共通コンテンツリクエスト情報、固有コンテンツリクエスト情報受取部５４によって受け取られた固有コンテンツリクエスト情報、リコメンド受取部６０によって受け取られた固有コンテンツおよび共通コンテンツ、ならびに、コンテンツ督促受取部６２によって受け取られた督促の内容等を表示する。
【００６９】
続いて、指示入力部４８は、ユーザによって入力された各種の設定指示、選択指示、確認指示、入力指示、作成指示等を取得するものであり、例えば、キーボードおよびマウス等の入力デバイスによって構成される。
【００７０】
指示入力部４８は、例えば、画像表示部４６に表示された固有コンテンツリクエスト情報を参照して第２ユーザによって回答された固有コンテンツ、および、画像表示部４６に表示された共通コンテンツリクエスト情報を参照して第２ユーザによって回答された共通コンテンツ等を入力する。
【００７１】
本実施形態の場合、画像表示部４６および指示入力部４８は、タッチパネル等のように、表示デバイスおよび入力デバイスが一体化されたデバイスによって構成される。
【００７２】
続いて、共通コンテンツリクエスト情報受取部５０は、共通コンテンツリクエスト情報通知部１８からネットワーク１６を介して、共通コンテンツリクエスト情報を受け取る。
【００７３】
続いて、共通コンテンツ送付部５２は、指示入力部４８によって入力された共通コンテンツを、ネットワーク１６を介して共通コンテンツ取得部２０に送付する。
【００７４】
続いて、固有コンテンツリクエスト情報受取部５４は、固有コンテンツリクエスト情報を、ネットワーク１６を介して固有コンテンツリクエスト情報通知部２４から受け取る。
【００７５】
続いて、固有コンテンツ送付部５６は、指示入力部４８によって入力された固有コンテンツを、ネットワーク１６を介して固有コンテンツ取得部２６に送付する。
【００７６】
続いて、顔画像送付部５８は、指示入力部４８によって入力された複数のユーザの各々の顔画像を、ネットワーク１６を介して顔画像取得部３０に送付する。
【００７７】
続いて、リコメンド受取部６０は、第２ユーザがリクエストに対して回答する場合に、固有コンテンツとして、第２ユーザにリコメンドされた第１ユーザおよび第２ユーザに関連性のある共通コンテンツを、ネットワーク１６を介してリコメンド部４０から受け取る。また、リコメンド受取部６０は、第２ユーザがリクエストに対して回答する場合に、第２ユーザにリコメンドされた固有コンテンツを、ネットワーク１６を介してリコメンド部４０から受け取る。
【００７８】
最後に、コンテンツ督促受取部６２は、共通コンテンツおよび固有コンテンツのリクエストに対する回答の督促を、ネットワーク１６を介してコンテンツ督促部４２から受け取る。
【００７９】
図示省略しているが、サーバ１２および端末装置１４は、例えば、サーバ１２と端末装置１４との間で各種データの送受信を行う通信デバイス等である送受信部、各部位の動作を制御するCPU（Central Processing Unit：中央処理装置）等である制御部等を備えている。
【００８０】
固有コンテンツリクエスト情報通知部２４、固有コンテンツ取得部２６、固有合成コンテンツ作成部２８、コンテンツ督促部４２、共通コンテンツリクエスト情報通知部１８、共通コンテンツ取得部２０、共通合成コンテンツ作成部２２、総合コンテンツ作成部４４、顔画像取得部３０、画像解析部３２、共通コンテンツ抽出部３４、親密度算出部３６、固有コンテンツ生成部３８、リコメンド部４０、固有コンテンツリクエスト情報受取部５４、固有コンテンツ送付部５６、コンテンツ督促受取部６２、共通コンテンツリクエスト情報受取部５０、共通コンテンツ送付部５２、顔画像送付部５８およびリコメンド受取部６０は、例えば、CPU等の制御デバイスが、メモリにロードされたプログラムを実行することにより実現される。また、各部位によって保存されるデータは、例えば、HDD（Hard Disk Drive：ハードディスクドライブ）、SSD（Solid State Drive：ソリッドステートドライブ）、SD（Secure Digital：セキュア・デジタル）カード等の記憶装置に保存される。
【００８１】
次に、図４に示すフローチャートおよび図５に示す概念図を参照しながら、画像処理システム１０の動作を説明する。
【００８２】
本実施形態の場合、本編ページおよび寄せ書きページを含む、卒業記念のフォトアルバム等の総合コンテンツを作成するとする。
【００８３】
まず、本編ページとなる共通合成コンテンツが作成される。
【００８４】
この場合、幹事のユーザは、幹事のユーザの端末装置１４において、指示入力部４８を介して、総合コンテンツの注文情報を入力する。
【００８５】
注文情報は、総合コンテンツを作成するために必要となる情報であり、例えば、フォトアルバム等の総合コンテンツの種類、サイズ、本編ページのページ数、寄せ書きページの有無および共通コンテンツリクエスト情報等を含む。
【００８６】
注文情報が入力されると、共通コンテンツリクエスト情報通知部１８により、幹事のユーザの端末装置１４からネットワーク１６を介して、共通コンテンツリクエスト情報を含む注文情報が取得される（ステップS1）。
【００８７】
注文情報が取得されると、共通コンテンツリクエスト情報通知部１８により、複数のユーザの端末装置１４に送付される共通コンテンツリクエスト情報が、ネットワーク１６を介して、幹事のユーザの端末装置１４に送付され、その内容が画像表示部４６に表示される。
【００８８】
幹事のユーザは、画像表示部４６に表示された共通コンテンツリクエスト情報の内容を確認し、共通コンテンツリクエスト情報をそのまま使用してもよいし、あるいは、指示入力部４８を介して、その内容を修正することができる。
【００８９】
共通コンテンツリクエスト情報の内容の確認が終了すると、共通コンテンツリクエスト情報通知部１８により、共通コンテンツリクエスト情報が、ネットワーク１６を介して、幹事のユーザを含む、複数のユーザの端末装置１４に通知される（ステップS2）。
【００９０】
共通コンテンツリクエスト情報が通知されると、各々のユーザの端末装置１４において、共通コンテンツリクエスト情報受取部５０により、共通コンテンツリクエスト情報通知部１８からネットワーク１６を介して、共通コンテンツリクエスト情報が受け取られ、画像表示部４６に表示される。
【００９１】
共通コンテンツリクエスト情報には、例えば、各々のユーザに対するリクエストが、卒業記念のフォトアルバム用の共通コンテンツであることが記載されている。また、回答期限が、X月X日であることが記載されている。
【００９２】
各々のユーザは、各々のユーザの端末装置１４の画像表示部４６に表示された共通コンテンツリクエスト情報の内容を参照し、指示入力部４８を介して、共通コンテンツリクエスト情報の内容に対応する共通コンテンツを回答する。
【００９３】
各々のユーザから共通コンテンツの回答があると、共通コンテンツ送付部５２により、指示入力部４８によって入力された共通コンテンツが、ネットワーク１６を介して共通コンテンツ取得部２０に送付される。
【００９４】
続いて、共通コンテンツ取得部２０により、複数のユーザの端末装置１４から、ネットワーク１６を介して、共通コンテンツリクエスト情報に対応する複数の共通コンテンツが取得される（ステップS3）。
【００９５】
続いて、画像解析部３２により、共通コンテンツ取得部２０によって取得された複数の共通コンテンツの各々が解析される（ステップS4）。
【００９６】
共通コンテンツのリクエストに対する回答期限が経過した後、コンテンツ督促部４２により、回答をしていないユーザの端末装置１４に送付される共通コンテンツの督促が、ネットワーク１６を介して、幹事のユーザの端末装置１４に送付され、その内容が画像表示部４６に表示される。
【００９７】
幹事のユーザは、画像表示部４６に表示された共通コンテンツの督促の内容を確認し、共通コンテンツの督促をそのまま使用してもよいし、あるいは、指示入力部４８を介して、その内容を修正することができる。
【００９８】
共通コンテンツの督促の内容の確認が終了すると、コンテンツ督促部４２により、回答をしていないユーザの端末装置１４に対して、ネットワーク１６を介して、回答、つまり、共通コンテンツが督促される（ステップS5）。
【００９９】
共通コンテンツが督促されると、督促されたユーザの端末装置１４において、コンテンツ督促受取部６２により、コンテンツ督促部４２からネットワーク１６を介して、督促が受け取られ、督促の内容、つまり、共通コンテンツのリクエストに対する回答が要求されていることが画像表示部４６に表示される。
【０１００】
督促されたユーザは、督促の内容を確認し、指示入力部４８を介して、共通コンテンツリクエスト情報の内容に対応する共通コンテンツを回答するか、あるいは、督促を無視することができる。
【０１０１】
督促から一定期間が経過した後、共通合成コンテンツ作成部２２により、注文情報に基づいて、共通コンテンツ取得部２０によって取得された複数の共通コンテンツを合成して、複数のユーザの共通合成コンテンツ、つまり、本編ページが作成される（ステップS6）。
【０１０２】
共通合成コンテンツ作成部２２は、例えば、各々の共通コンテンツの解析結果に基づいて、共通コンテンツ取得部２０によって取得された複数の共通コンテンツの中から一定数の共通コンテンツを合成対象共通コンテンツとして抽出し、各々の合成対象共通コンテンツのサイズおよび共通合成コンテンツにおける配置位置等を決定して、一定数の合成対象共通コンテンツを、共通合成コンテンツにおける合成対象共通コンテンツの配置領域に配置（自動レイアウト）して共通合成コンテンツを作成する。
【０１０３】
共通合成コンテンツが作成されると、共通合成コンテンツ作成部２２により、作成された共通合成コンテンツが、ネットワーク１６を介して、幹事のユーザの端末装置１４に送付され、画像表示部４６に表示される。
【０１０４】
幹事のユーザは、幹事のユーザの端末装置１４において、画像表示部４６に表示された共通合成コンテンツの内容を確認し、共通合成コンテンツをそのまま使用してもよいし、あるいは、指示入力部４８を介して、共通合成コンテンツ作成部２２によって自動で作成された共通合成コンテンツを編集することができる。
【０１０５】
共通合成コンテンツの編集が終了すると、共通合成コンテンツ作成部２２により、編集後の共通合成コンテンツが、ネットワーク１６を介して、幹事のユーザの端末装置１４に送付され、画像表示部４６に表示される。
【０１０６】
次に、寄せ書きページとなる固有合成コンテンツが作成される。
【０１０７】
この場合、幹事のユーザは、幹事のユーザの端末装置１４において、指示入力部４８を介して、固有合成コンテンツの作成開始を指示する。
【０１０８】
固有合成コンテンツの作成開始が指示されると、固有コンテンツリクエスト情報通知部２４により、幹事のユーザの端末装置１４からネットワーク１６を介して、固有合成コンテンツの作成開始の指示が受け取られる。さらに、固有コンテンツリクエスト情報通知部２４により、固有合成コンテンツの作成開始の指示が、ネットワーク１６を介して、各々のユーザの端末装置１４に通知される。
【０１０９】
固有合成コンテンツの作成開始が通知されると、第１ユーザは、第１ユーザの端末装置１４において、指示入力部４８を介して、固有コンテンツリクエスト情報を入力する。
【０１１０】
第１ユーザによって固有コンテンツリクエスト情報が入力されると、固有コンテンツリクエスト情報通知部２４により、第１ユーザの端末装置１４からネットワーク１６を介して、第１ユーザの固有コンテンツリクエスト情報が取得される（ステップS7）。
【０１１１】
第１ユーザの固有コンテンツリクエスト情報が取得されると、固有コンテンツリクエスト情報通知部２４により、第１ユーザの固有コンテンツリクエスト情報が、ネットワーク１６を介して、複数のユーザの中から第１ユーザによって指定された２以上の第２ユーザの端末装置１４に通知される（ステップS8）。
【０１１２】
固有コンテンツリクエスト情報が通知されると、第２ユーザの端末装置１４において、固有コンテンツリクエスト情報受取部５４により、固有コンテンツリクエスト情報通知部２４からネットワーク１６を介して、固有コンテンツリクエスト情報が受け取られ、画像表示部４６に表示される。
【０１１３】
固有コンテンツリクエスト情報には、図６に示すように、第２ユーザであるXXXXさんに対するリクエストが、寄せ書き用の固有コンテンツであることが記載されている。また、寄せ書きをリクエストする第１ユーザとして、AAAAさん、BBBBさん、CCCCさん、および、DDDDさんの４人のリストが、リクエストの日時が早い順序で上側から一覧表示されている。また、回答期限が、X月X日であると記載されている。
【０１１４】
なお、第１ユーザのリストは、リクエストの日時が早い順序ではなく、例えば、第１ユーザと第２ユーザとの親密度が高い順序で上側から一覧表示してもよい。
【０１１５】
この場合、顔画像送付部５８により、複数のユーザの各々の顔画像が、ネットワーク１６を介して送付され、顔画像取得部３０により、複数のユーザの各々の顔画像が、顔画像送付部５８からネットワーク１６を介して取得される。
続いて、画像解析部３２により、複数の共通コンテンツの各々および各々のユーザの顔画像が解析される。
続いて、親密度算出部３６により、複数の共通コンテンツの各々および各々のユーザの顔画像の解析結果に基づいて、複数のユーザのうちの任意の二人のユーザの親しさを表す親密度が算出される。
そして、固有コンテンツリクエスト情報通知部２４により、親密度に基づいて、リストに含まれる複数の第１ユーザが、第２ユーザとの親密度が高い順序で並べられ、画像表示部４６により、複数の第１ユーザが、第２ユーザとの親密度が高い順序で並べられたリストが表示される。
【０１１６】
これにより、第１ユーザのリストを、第１ユーザと第２ユーザとの親密度が高い順序で上側から一覧表示することができる。
【０１１７】
第２ユーザは、第２ユーザの端末装置１４の画像表示部４６に表示された固有コンテンツリクエスト情報の内容を参照し、指示入力部４８を介して、固有コンテンツリクエスト情報の内容に対応する固有コンテンツを回答する。
【０１１８】
第２ユーザが、例えば、第１ユーザのリストに含まれるAAAAさんをタップすることにより、図７に示すように、AAAAさんの寄せ書きのために使用する固有コンテンツを回答するための画面が表示される。固有コンテンツの回答画面には、「手書き」、「ファイル（動画・音声・画像）」および「コメント入力」の３つが表示されている。また、回答期限が、X月X日であると記載されている。
【０１１９】
例えば、第２ユーザが、「手書き」をタップすると、図８に示すように、AAAAさんの寄せ書きのために使用する固有コンテンツとして、手書き入力によるコメントの入力画面が表示される。手書き入力によるコメントの入力画面には、左側に、手書き入力によるコメントの入力領域が表示され、右側には、手書き入力によるコメントの線種、太さおよび色等を指定するパレットが表示されている。
【０１２０】
第２ユーザは、手書き入力によるコメントの入力画面において、パレットの中から手書き入力によるコメントの線種、太さおよび色等を指定し、コメントの入力領域の上を指でなぞることによって手書きによるコメントを入力することができる。
【０１２１】
また、第２ユーザが、図７に示す固有コンテンツの回答画面において、「ファイル（動画・音声・画像）」をタップすると、図９に示すように、AAAAさんの寄せ書きのために使用する固有コンテンツとして、ファイルを指定するための画面が表示される。ファイルの指定画面には、ファイルをドラッグ＆ドロップ操作によって指定するための領域が表示されている。
【０１２２】
第２ユーザは、ファイルの指定画面において、所望のファイルをドラッグして、ファイルの指定領域の上にドロップすることによって、AAAAさんの寄せ書きのために使用する固有コンテンツとして指定することができる。
【０１２３】
また、第２ユーザが、図７に示す固有コンテンツの回答画面において、「コメント入力」をタップすると、図１０に示すように、タイピング入力によるコメントの入力画面が表示される。タイピング入力によるコメントの入力画面には、「自由入力」、「定型文」および「履歴」の３つのタブが上部に表示され、タイピングによるコメントの入力領域が下部に表示されている。
【０１２４】
第２ユーザは、タイピングによるコメントの入力画面において、「自由入力」のタブをタップすると、コメントの入力領域において、キーボードを用いてタイピングによるコメントを自由に入力することができる。
また、「定型文」のタブをタップすると、定型文がコメントの入力領域に表示される。第２ユーザは、AAAAさんのために使用する固定コンテンツとして、定型文をそのまま使用してもよいし、あるいは、定型文を編集して使用してもよい。
「履歴」をタップすると、第２ユーザが過去に入力したタイピングによるコメントがコメントの入力領域に表示される。第２ユーザは、AAAAさんのために使用する固有コンテンツとして、過去のコメントをそのまま使用してもよいし、あるいは、過去のコメントを編集して使用してもよい。
【０１２５】
また、第２ユーザは、リストに含まれる２以上の第１ユーザ、例えば、AAAAさんおよびBBBBさんの二人に対して同一の固有コンテンツを回答することができる。
【０１２６】
この場合、第２ユーザは、第２ユーザの端末装置１４において、指示入力部４８を介して、リストの中から第２ユーザが選択した２以上の第１ユーザに対して同一の固有コンテンツを回答する。
【０１２７】
固有コンテンツが入力されると、固有コンテンツ送付部５６により、指示入力部４８によって入力された、２以上の第１ユーザに対して回答された同一の固有コンテンツが、ネットワーク１６を介して送付され、固有コンテンツ取得部２６により、固有コンテンツ送付部５６によって送付された、２以上の第１ユーザに対して回答された同一の固有コンテンツが、固有コンテンツ送付部５６からネットワーク１６を介して取得される。
【０１２８】
これにより、多数の第１ユーザから固有コンテンツのリクエストを受け取った場合等において、第２ユーザが複数の第１ユーザの各々に対して固有コンテンツを回答する手間を省くことができる。
【０１２９】
また、第２ユーザは、第２ユーザが複数のユーザの中から選択した、リストに含まれる複数の第１ユーザ以外の１以上の第３ユーザ、例えば、EEEEさんに対して固有コンテンツを回答することができる。
【０１３０】
この場合、第２ユーザは、第２ユーザの端末装置１４において、指示入力部４８を介して、複数のユーザの中からリストに含まれる複数の第１ユーザ以外の１以上の第３ユーザを選択し、１以上の第３ユーザに対して固有コンテンツを回答する。
【０１３１】
固有コンテンツが入力されると、固有コンテンツ送付部５６により、指示入力部４８によって入力された、１以上の第３ユーザに対して回答された固有コンテンツが、ネットワーク１６を介して送付され、固有コンテンツ取得部２６により、固有コンテンツ送付部５６によって送付された、１以上の第３ユーザに対して回答された固有コンテンツが、固有コンテンツ送付部５６からネットワーク１６を介して取得される。
【０１３２】
また、画像処理システム１０は、第２ユーザがリクエストに対して回答する場合に、固有コンテンツとして、例えば、第１ユーザおよび第２ユーザに関連性のある共通コンテンツをリコメンドすることができる。
【０１３３】
この場合、顔画像送付部５８により、複数のユーザの各々の顔画像が、ネットワーク１６を介して送付され、顔画像取得部３０により、複数のユーザの各々の顔画像が、顔画像送付部５８からネットワーク１６を介して取得される。
続いて、画像解析部３２により、複数の共通コンテンツの各々および各々のユーザの顔画像が解析される。
【０１３４】
続いて、共通コンテンツ抽出部３４により、複数の共通コンテンツの各々および各々のユーザの顔画像の解析結果に基づいて、複数の共通コンテンツの中から、第１ユーザおよび第２ユーザに関連性のある共通コンテンツが抽出される。
続いて、リコメンド部４０により、第２ユーザがリクエストに対して回答する場合に、固有コンテンツとして、第１ユーザおよび第２ユーザに関連性のある共通コンテンツが第２ユーザにリコメンドされる。
【０１３５】
続いて、第２ユーザの端末装置１４において、リコメンド受取部６０により、第２ユーザがリクエストに対して回答する場合に、固有コンテンツとして、第２ユーザにリコメンドされた第１ユーザおよび第２ユーザに関連性のある共通コンテンツが、リコメンド部４０から受け取られ、画像表示部４６により、リコメンド受取部６０によって受け取られた共通コンテンツが表示される。
【０１３６】
これにより、第２ユーザは、固有コンテンツとして、画像処理システム１０によってリコメンドされた共通コンテンツを利用することができる。
【０１３７】
あるいは、画像処理システム１０は、第２ユーザがリクエストに対して回答する場合に、新たな固有コンテンツを生成してリコメンドすることができる。
【０１３８】
この場合、同様に、親密度算出部３６により、複数の共通コンテンツの各々および各々のユーザの顔画像の解析結果に基づいて、複数のユーザのうちの任意の二人のユーザの親しさを表す親密度が算出され、固有コンテンツ生成部３８により、リストに含まれる複数の第１ユーザのうち、第２ユーザとの親密度が高い第１ユーザであるほど、より多くのコンテンツを含む固有コンテンツが生成される。
続いて、リコメンド部４０により、第２ユーザがリクエストに対して回答する場合に、固有コンテンツ生成部３８によって生成された固有コンテンツが第２ユーザにリコメンドされる。
【０１３９】
続いて、第２ユーザの端末装置１４において、リコメンド受取部６０により、第２ユーザがリクエストに対して回答する場合に、第２ユーザにリコメンドされた固有コンテンツが、リコメンド部４０から受け取られ、画像表示部４６により、リコメンド受取部６０によって受け取られた固有コンテンツが表示される。
【０１４０】
これにより、第２ユーザは、画像処理システム１０によってリコメンドされた固有コンテンツを利用することができる。
【０１４１】
第２ユーザから固有コンテンツの回答があると、固有コンテンツ取得部２６により、２以上の第２ユーザの端末装置１４から、ネットワーク１６を介して、第１ユーザの固有コンテンツリクエスト情報に対応する複数の固有コンテンツが取得される（ステップS9）。
【０１４２】
固有コンテンツのリクエストに対する回答期限が経過した後、コンテンツ督促部４２により、回答をしていない第２ユーザの端末装置１４に対して、ネットワーク１６を介して、回答、つまり、固有コンテンツが督促される（ステップS10）。
【０１４３】
固有コンテンツが催促されると、督促された第２ユーザの端末装置１４において、コンテンツ督促受取部６２により、コンテンツ督促部４２からネットワーク１６を介して、督促が受け取られ、督促の内容、つまり、固有コンテンツのリクエストに対する回答が要求されていることが画像表示部４６に表示される。
【０１４４】
督促された第２ユーザは、督促の内容を確認し、指示入力部４８を介して、固有コンテンツリクエスト情報の内容に対応する固有コンテンツを回答するか、あるいは、督促を無視することができる。
【０１４５】
督促から一定期間が経過した後、固有合成コンテンツ作成部２８により、注文情報に基づいて、固有コンテンツ取得部２６によって取得された複数の固有コンテンツのうちの第１ユーザのために使用する固有コンテンツを合成して、第１ユーザの固有合成コンテンツ、つまり、寄せ書きページが作成される（ステップS11）。
【０１４６】
固有合成コンテンツ作成部２８は、例えば、第１ユーザのために使用する固有コンテンツのサイズおよび固有合成コンテンツにおける配置位置等を決定して、第１ユーザのために使用する固有コンテンツを、第１ユーザの固有合成コンテンツにおける、第１ユーザのために使用する固有コンテンツの配置領域に配置（自動レイアウト）して第１ユーザの固有合成コンテンツを作成する。
【０１４７】
次に、フォトアルバムとなる第１ユーザの総合コンテンツが作成される。
【０１４８】
この場合、総合コンテンツ作成部４４により、注文情報に基づいて、共通合成コンテンツおよび第１ユーザの固有合成コンテンツを含む、第１ユーザの総合コンテンツ、つまり、卒業記念のフォトアルバムが作成される（ステップS12）。
【０１４９】
第１ユーザの総合コンテンツが作成されると、総合コンテンツ作成部４４により、作成された第１ユーザの総合コンテンツが、ネットワーク１６を介して第１ユーザの端末装置１４に送付され、画像表示部４６に表示される。
【０１５０】
第１ユーザは、第１ユーザの端末装置１４において、画像表示部４６に表示された第１ユーザの総合コンテンツの内容を確認した後、指示入力部４８を介して、第１ユーザの総合コンテンツを本発注する。
【０１５１】
なお、第１ユーザが総合コンテンツを本発注するのではなく、例えば、第１ユーザから幹事のユーザに対して本発注の依頼を行い、幹事のユーザが、複数のユーザの各々からの発注の依頼を受け取って複数のユーザの総合コンテンツを一括で本発注してもよい。
【０１５２】
第１ユーザによって第１ユーザの総合コンテンツが発注されると、例えば、第１ユーザの総合コンテンツがプリントされ、製本された後、第１ユーザに郵送される。
【０１５３】
このように、画像処理システム１０においては、複数のユーザのうちの任意のユーザから固有コンテンツを取得し、取得された固有コンテンツを合成してユーザ毎に内容の異なる固有合成コンテンツを作成することができる。また、複数のユーザから取得された共通コンテンツを合成して共通合成コンテンツを作成し、共通合成コンテンツおよび各々のユーザの固有合成コンテンツを含む、ユーザ毎に内容の異なる総合コンテンツを作成することができる。
【０１５４】
なお、幹事のユーザは、共通コンテンツリクエスト情報、固有コンテンツリクエスト情報、督促、共通合成コンテンツおよび固有合成コンテンツ等の内容、ならびに、共通合成コンテンツおよび固有合成コンテンツ等の作成の進捗状況を適時確認することができる。また、幹事のユーザは、共通コンテンツおよび固有コンテンツのリクエストに対する回答期限および督促後の一定期間等を変更することができる。
【０１５５】
画像処理システム１０は、プリントし、製本することにより、紙媒体のフォトアルバム（フォトブック）等の総合コンテンツを作成してもよいし、これに限らず、テンプレート上に静止画および動画を含む画像を配置し、ディスプレイ上において閲覧する電子アルバム等の総合コンテンツを作成してもよい。さらに、テンプレートを利用することなく、ユーザから取得された静止画や動画などを含む各種のコンテンツを順次表示するスライドショー等の総合コンテンツを作成してもよい。
【０１５６】
画像処理システム１０が、サーバ１２および複数のユーザの端末装置１４を備えることは必須ではなく、例えば、サーバ１２および端末装置１４の全ての構成要素を備える装置を構成することもできる。この場合、ネットワーク１６、および、サーバ１２とユーザの端末装置１４との間のやり取りは不要であり、例えば、ユーザから画像処理システム１０へ、あるいは、画像処理システム１０からユーザに対して直接やり取りを行うことができる。
【０１５７】
また、固有コンテンツリクエスト情報通知部２４、固有コンテンツ取得部２６、固有合成コンテンツ作成部２８、コンテンツ督促部４２、共通コンテンツリクエスト情報通知部１８、共通コンテンツ取得部２０、共通合成コンテンツ作成部２２、総合コンテンツ作成部４４、顔画像取得部３０、画像解析部３２、共通コンテンツ抽出部３４、親密度算出部３６、固有コンテンツ生成部３８およびリコメンド部４０の全てをサーバ１２が備えることは必須ではなく、そのうちの少なくとも１つが、ユーザの端末装置１４内に備えられていてもよい。
【０１５８】
同様に、画像表示部４６、指示入力部４８、固有コンテンツリクエスト情報受取部５４、固有コンテンツ送付部５６、コンテンツ督促受取部６２、共通コンテンツリクエスト情報受取部５０、共通コンテンツ送付部５２、顔画像送付部５８およびリコメンド受取部６０の全てをユーザの端末装置１４が備えることは必須ではなく、そのうちの少なくとも１つが、サーバ１２内に備えられていてもよい。
【０１５９】
本発明の装置は、装置が備える各々の構成要素を専用のハードウェアで構成してもよいし、各々の構成要素をプログラムされたプロセッサおよびプロセッサを備えるコンピュータ等によって構成してもよい。本発明の方法は、例えば、その各々のステップをコンピュータに実行させるためのプログラムにより実施することができる。また、このプログラムが記録されたコンピュータ読み取り可能な記録媒体を提供することもできる。
【０１６０】
以上、本発明について詳細に説明したが、本発明は上記実施形態に限定されず、本発明の主旨を逸脱しない範囲において、種々の改良や変更をしてもよいのはもちろんである。
【符号の説明】
【０１６１】
１０  画像処理システム
１２  サーバ
１４  端末装置（クライアント）
１６  ネットワーク
１８  共通コンテンツリクエスト情報通知部
２０  共通コンテンツ取得部
２２  共通合成コンテンツ作成部
２４  固有コンテンツリクエスト情報通知部
２６  固有コンテンツ取得部
２８  固有合成コンテンツ作成部
３０  顔画像取得部
３２  画像解析部
３４  共通コンテンツ抽出部
３６  親密度算出部
３８  固有コンテンツ生成部
４０  リコメンド部
４２  コンテンツ督促部
４４  総合コンテンツ作成部
４６  画像表示部
４８  指示入力部
５０  共通コンテンツリクエスト情報受取部
５２  共通コンテンツ送付部
５４  固有コンテンツリクエスト情報受取部
５６  固有コンテンツ送付部
５８  顔画像送付部
６０  リコメンド受取部
６２  コンテンツ督促受取部
【図１】
2018018403.tif 000003
【図２】
2018018403.tif 000004
【図３】
2018018403.tif 000005
【図４】
2018018403.tif 000006
【図５】
2018018403.tif 000007
【図６】
2018018403.tif 000008
【図７】
2018018403.tif 000009
【図８】
2018018403.tif 000010
【図９】
2018018403.tif 000011
【図１０】
2018018403.tif 000012